(57)【要約】【課題】プレーヤとテレビがともに画質モード処理を行うことを防止する。【解決手段】画質モード処理がオン（シャープ、カラー、コントラストが選択）の場合、映像表示装置の画質改善処理が機能しないように４８０ｐ及び７２０ｐの出力解像度は選択できないようにする。解像度切換スイッチが押される毎にオート、１０８０ｉ、１０８０ｐ、オート、…が繰り返し選択されるように出力解像度の選択制御が変更される。一方、４８０ｐまたは７２０ｐの出力解像度が選択された場合、映像表示装置の画質改善処理が機能しても構わないように、画質モード処理はオンを選択できないようにオフに固定されるように画質モード処理の選択制御が変更される。【選択図】      図２
2010213351.tif 000002
【特許請求の範囲】
【請求項１】
画像情報を再生する再生手段と、
解像度を選択するための解像度選択画面を表示させる解像度選択画面生成手段と、
画質モードのオンまたはオフを選択するための画質モード選択画面を表示させる画質モード選択画面生成手段とを具備し、
前記画質モード選択画面で前記画質モードのオンが選択された場合、前記解像度選択画面生成手段は所定の解像度を選択できないように前記解像度選択画面に表示させることを特徴とする情報再生装置。
【請求項２】
画像情報を再生する再生手段と、
解像度を選択するための解像度選択画面を表示させる解像度選択画面生成手段と、
画質モードのオンまたはオフを選択するための画質モード選択画面を表示させる画質モード選択画面生成手段とを具備し、
前記画質モード選択画面で前記画質モードのオンが選択された場合、前記解像度選択画面生成手段は所定の解像度を選択できないように前記解像度選択画面に表示させないことを特徴とする情報再生装置。
【請求項３】
画像情報を再生する再生手段と、
解像度を選択するための解像度選択画面を表示させる解像度選択画面生成手段と、
画質モードのオンまたはオフを選択するための画質モード選択画面を表示させる画質モード選択画面生成手段とを具備し、
前記画質モード選択画面で前記画質モードのオンが選択された場合、前記解像度選択画面生成手段は所定の解像度を選択できないように前記解像度選択画面に表示させ、前記画質モード選択画面で前記画質モードのオフが選択された場合、全ての解像度を表示させることを特徴とする情報再生装置。
【請求項４】
画像情報を再生する再生手段と、
解像度を選択するための解像度選択画面を表示させる解像度選択画面生成手段と、
画質モードのオンまたはオフを選択するための画質モード選択画面を表示させる画質モード選択画面生成手段とを具備し、
前記画質モード選択画面で前記画質モードのオンが選択された場合、前記解像度選択画面生成手段は所定の解像度を選択できないように前記解像度選択画面に表示させず、前記画質モード選択画面で前記画質モードのオフが選択された場合、全ての解像度を表示させることを特徴とする情報再生装置。
【請求項５】
画像情報を再生することと、
解像度を選択するための解像度選択画面を表示させることと、
画質モードのオンまたはオフを選択するための画質モード選択画面を表示させることとを具備し、
前記画質モード選択画面で前記画質モードのオンが選択された場合、所定の解像度を選択できないように前記解像度選択画面に表示させることを特徴とする再生制御方法。
【請求項６】
画像情報を再生することと、
解像度を選択するための解像度選択画面を表示させることと、
画質モードのオンまたはオフを選択するための画質モード選択画面を表示させることとを具備し、
前記画質モード選択画面で前記画質モードのオンが選択された場合、所定の解像度を選択できないように前記解像度選択画面に表示させないことを特徴とする再生制御方法。
【請求項７】
画像情報を再生することと、
解像度を選択するための解像度選択画面を表示させることと、
画質モードのオンまたはオフを選択するための画質モード選択画面を表示させることとを具備し、
前記画質モード選択画面で前記画質モードのオンが選択された場合、所定の解像度を選択できないように前記解像度選択画面に表示させ、前記画質モード選択画面で前記画質モードのオフが選択された場合、全ての解像度を表示させることを特徴とする再生制御方法。
【請求項８】
画像情報を再生することと、
解像度を選択するための解像度選択画面を表示させることと、
画質モードのオンまたはオフを選択するための画質モード選択画面を表示させることとを具備し、
前記画質モード選択画面で前記画質モードのオンが選択された場合、所定の解像度を選択できないように前記解像度選択画面に表示させず、前記画質モード選択画面で前記画質モードのオフが選択された場合、全ての解像度を表示させることを特徴とする再生制御方法。
【発明の詳細な説明】
【技術分野】
【０００１】
本発明は再生した画像情報の画質を改善する機能を有する情報再生装置及び再生制御方法に関する。
【背景技術】
【０００２】
従来の光ディスク再生装置において、ユーザが出力解像度を切換えることができるものがある（例えば、特許文献１参照）。光ディスク再生装置とモニタ装置とはＨＤＭＩケーブルによって接続され、デジタルの映像及び音声信号が送信される。光ディスク再生装置の電源が投入されたとき、モニタ装置の仕様等の情報（例えば、モニタ装置が対応している解像度に関する情報）がＨＤＭＩ（High-Definition Multimedia Interface）ケーブルを介して光ディスク再生装置に送出される。光ディスク再生装置はモニタ装置が対応している解像度の中からいずれかの解像度を選択する機能を有する。この機能は、ユーザがリモコン装置に設けられている特定のキー（例えば、ＨＤＭＩキー）を操作することにより実行される。
【０００３】
出力解像度の選択はモニタ装置が対応できる範囲であれば何の制約も無く、非常に高解像度な値も選択できる。しかし、光ディスク再生装置及び／またはモニタ装置に映像の画質変更機能が備わっていると、光ディスク再生装置からモニタ装置へ送出される映像の解像度を上げ過ぎると、反対に画質が劣化した画像が表示されることがある。
【先行技術文献】
【特許文献】
【０００４】
【特許文献１】特開２００７−１５０４６９号公報（段落番号００１１乃至段落００１５、図１、図２）
【発明の概要】
【発明が解決しようとする課題】
【０００５】
このように情報再生装置には、自身の装置及び／またはモニタ装置に備わっている画質変更機能の設定に応じて出力解像度の選択に制約をかけることが望ましい場合があったが、従来の情報再生装置には解像度の設定と画質変更機能の設定の関係については何ら制約をかけていなかった。そのため、解像度の設定によっては、かえって画質が劣化することがあった。
【０００６】
本発明の目的は予め決められた画質変更機能の設定と解像度の設定の組み合わせを排除し、再生した画像の画質を向上することができる情報再生装置及び再生制御方法を提供することである。
【０００７】
本発明の他の目的は画質変更機能を有する外部機器の当該機能の設定状況に応じて自己の画質変更機能の設定が制限される情報再生装置及び再生制御方法を提供することである。
【０００８】
本発明の他の目的は自己の画質変更機能の設定状況に応じて画質変更機能を有する外部機器の画質変更機能の設定を制限する情報再生装置及び再生制御方法を提供することである。
【課題を解決するための手段】
【０００９】
本発明の一態様による情報再生装置は、
画像情報を再生する再生手段と、
複数の解像度のいずれかを選択する解像度選択手段と、
画質モードのオン、オフを選択する画質モード選択手段と、
前記画質モード選択手段が画質モードのオンを選択した場合、前記複数の解像度の中の所定の解像度について前記解像度選択手段による選択を不可とする不可手段と、
前記画質モード選択手段が画質モードのオンを選択した場合、前記再生手段により再生された画像情報の画質を前記解像度選択手段により選択された解像度に応じて改善する画像処理手段とを具備するものである。
【００１０】
本発明の他の態様による情報再生装置は、
画像情報を再生する再生手段と、
複数の解像度のいずれかを選択する解像度選択手段と、
画質モードのオン、オフを選択する画質モード選択手段と、
前記解像度選択手段が所定の解像度を選択した場合、前記画質モード選択手段が画質モードのオンとして選択することを不可とする不可手段と、
前記画質モード選択手段が画質モードのオンを選択した場合、前記再生手段により再生された画像情報の画質を前記解像度選択手段により選択された解像度に応じて改善する画像処理手段とを具備するものである。
【００１１】
本発明の他の態様による情報再生装置は、
画像情報の画質改善機能を有する外部機器と通信手段を介して接続される情報再生装置において、
画像情報を再生する再生手段と、
複数の解像度のいずれかを選択する解像度選択手段と、
画質モードのオン、オフを選択する画質モード選択手段と、
前記通信手段を介して前記外部機器の画質改善機能の設定状態を検出する手段と、
前記検出手段の検出結果に応じて前記画質モード選択手段の選択動作を制限する制限手段と、
前記画質モード選択手段が画質モードのオンを選択した場合、前記再生手段により再生された画像情報の画質を前記解像度選択手段により選択された解像度に応じて改善する画像処理手段とを具備するものである。
【００１２】
本発明の他の態様による情報再生装置は、
画像情報の画質改善機能を有する外部機器と通信手段を介して接続される情報再生装置において、
画像情報を再生する再生手段と、
複数の解像度のいずれかを選択する解像度選択手段と、
画質モードのオン、オフを選択する画質モード選択手段と、
前記画質モード選択手段が画質モードのオンを選択した場合、前記再生手段により再生された画像情報の画質を前記解像度選択手段により選択された解像度に応じて改善する画像処理手段と、
前記画質モード選択手段の選択結果を前記通信手段を介して前記外部機器へ送信し、該外部機器の画質改善機能の設定を制御する制御手段とを具備するものである。
【発明の効果】
【００１３】
以上説明したように本発明によれば、画質が劣化する恐れがある画質モードの設定あるいは解像度の設定は不可とされるので、ユーザは設定の際に画質の劣化の恐れを考慮する必要が無く最適な画質の画像を再生することができる。
【図面の簡単な説明】
【００１４】
【図１】本発明の一実施の形態に係る情報再生装置の構成の一例を示すブロック図。
【図２】出力解像度と画質モードの選択の制約の一例を示す図。
【図３】画質モード処理がオフの場合の出力解像度選択画面の一例を示す図。
【図４】画質モード処理がオンの場合の出力解像度選択画面の一例を示す図。
【図５】１０８０の出力解像度が選択された場合の画質モード選択画面の一例を示す図。
【図６】１０８０以外の出力解像度が選択された場合の画質モード選択画面の一例を示す図。
【図７】画質モード設定後の出力解像度設定の可否の一例を示す図。
【図８】出力解像度設定後の画質モード設定の可否の一例を示す図。
【図９】画質モード設定後の出力解像度設定の可否の一例をＤ端子の設定の可否に関連付けて示す図。
【図１０】出力解像度設定後の画質モード設定の可否の一例をＤ端子の設定の可否に関連付けて示す図。
【図１１】先に画像モードが選択された場合の情報再生装置の再生から映像表示装置の出力までの画像処理の一例を概念的に示す図。
【図１２】先に出力解像度が選択された場合の情報再生装置の再生から映像表示装置の出力までの画像処理の一例を概念的に示す図。
【図１３】画質モードをプレーヤ優先で設定する場合の画質モード選択画面・出力解像度選択画面の一例を示す図。
【図１４】プレーヤで画像モード処理がオンに設定された場合のプレーヤからテレビの出力までの画像処理の流れの一例を概念的に示す図。
【図１５】プレーヤで画像モード処理がオフに設定された場合のプレーヤからテレビの出力までの画像処理の流れの一例を概念的に示す図。
【図１６】プレーヤで画像モード処理がオンに設定された場合のプレーヤからテレビの出力までの画像処理の流れの他の例を概念的に示す図。
【図１７】プレーヤで画像モード処理がオフに設定された場合のプレーヤからテレビの出力までの画像処理の流れの他の例を概念的に示す図。
【図１８】画質モードをテレビ優先で設定する場合の画質モード選択画面・出力解像度選択画面の一例を示す図。
【図１９】テレビで画像モード処理がオンに設定された場合のプレーヤからテレビの出力までの画像処理の流れの一例を概念的に示す図。
【図２０】テレビで画像モード処理がオフに設定された場合のプレーヤからテレビの出力までの画像処理の流れの一例を概念的に示す図。
【図２１】テレビで画像モード処理がオンに設定された場合のプレーヤからテレビの出力までの画像処理の流れの他の例を概念的に示す図。
【図２２】テレビで画像モード処理がオフに設定された場合のプレーヤからテレビの出力までの画像処理の流れの他の例を概念的に示す図。
【図２３】図３から図１２に示すプレーヤ単独動作の際のメニューを表示する制御部４０の動作の一例を示すフローチャート。
【図２４】図１３から図２２に示すプレーヤ優先あるいはテレビ優先動作の際のメニューを表示する制御部４０の動作の一例を示すフローチャート。
【発明を実施するための形態】
【００１５】
以下、図面を参照して本発明による情報再生装置の実施の形態を説明する。
【００１６】
第１の実施の形態
図１は本発明の第１の実施の形態に係る情報再生装置の構成を示す図である。実施形態はＤＤＶＤの再生器（プレーヤ）を説明するが、これに限定されず、インターネット等を介してハードディスクにダウンロードした画像情報を再生する装置でも良い。情報再生装置１０がテレビジョン受像機等の映像表示装置１２、１４に接続される。情報再生装置１０には種々の制御のためのリモコン１６が付随している。情報再生装置１０は記憶媒体の一例としてのＤＶＤ等の光ディスク１８が装着されるディスクドライブ２０を具備する。図示していないが、光ディスク１８へ情報を記録するための記録部、記録するための情報を受信するチューナ部、記録するための情報をインターネットからダウンロードするためのネットワークインターフェースが設けられても良い。すなわち、実施形態は情報記録再生装置であっても良い。さらに、記憶媒体は光ディスクに限らず、ハードディスクドライブ、フラッシュメモリ等でも良い。
【００１７】
ディスクドライブ２０の出力信号は信号処理部２２、画像処理部２４を介して加算器２６の第１入力端子に供給される。ディスクドライブ２０により再生された画像に重畳されるメニュー画像等を生成するオンスクリーンディスプレイ部２８の出力が加算器２６の第２の入力端子に供給され、これによりメニュー画面等が重畳された映像情報が得られる。加算器２６の出力がＨＤＭＩ端子３０を介して映像表示装置１２に、Ｄ端子３２を介して映像表示装置１４に供給される。
【００１８】
情報再生装置１０は制御部４０を具備する。リモコン１０からの制御信号がリモコン受光部３４を介して制御部４０に供給される。情報再生装置１０もキーボード等のユーザ操作入力部３６を備え、ユーザ操作入力部３６からの入力信号が制御部４０に供給される。ユーザ操作入力部３６からの入力信号はリモコン１６からの制御信号を含む。制御部４０は設定メニュー表示部４２、画質モード選択画面生成部４４、画質モード優先出力解像度選択画面生成部４６、出力解像度選択画面生成部４８、出力解像度優先画質モード選択画面生成部５０、選択出力解像度設定部５２、選択画質モード設定部５４、プレーヤ優先画質モードコマンド出力処理部５６、ＴＶ優先画質モードコマンド受信処理部５８を含む。プレーヤ優先画質モードコマンド出力処理部５６、ＴＶ優先画質モードコマンド受信処理部５８はＨＤＭＩケーブルのベンダコマンドラインを介して映像表示装置１２と通信されるが、プレーヤ優先画質モードコマンド出力処理部５６、ＴＶ優先画質モードコマンド受信処理部５８が実装されていない実施形態も存在する。
【００１９】
画像処理部２４は画質を改善するための処理を行う。画質改善処理は画質モード処理と解像度変更処理からなる。画質モード処理とは複数の画質モード、ここでは３つの画質モードのいずれかに応じて画質を改善する処理である。３つのモードは、例えば、シャープモード、カラーモード、コントラストモードである。シャープモードは画像の輪郭を強調する処理であり、一般的な映画の視聴に適している。シャープモードの処理（輪郭強調）は他の２つのモードの処理にも含まれる。カラーモードは緑と青を強調して色鮮やかな画質にする処理であり、屋外のシーンに適している。コントラストモードは暗い部分のコントラストを強調する処理であり、暗いシーンの映画に適している。リモコン１６あるいはユーザ操作入力部３６の画質モード切換スイッチが押される毎にシャープモード、カラーモード、コントラストモード、オフ、…が繰り返し選択される。シャープモード、カラーモード、コントラストモードのいずれかが選択されている時は画質モード処理がオンの時である。
【００２０】
本実施形態では画質モード処理は複数のモードのいずれかを選べるとして説明したが、これに限らず、単純化して１種類の画質モードのオン・オフ選択だけでもよい。さらに、複数の画質モードのそれぞれにおいて改善の程度をいくつかのレベル、例えば、シャープモードでは輪郭の強調度合いの設定値を＋７〜−７まで可変できるようにしてもよい。これは、１５のシャープモードがあることと実質的に等価である。設定値は画質モードを選択した後、メニュー画面で選択される。  解像度変更処理は出力画像の解像度を増加（アップコンバート）する。選択可能な出力解像度はオート、４８０ｐ、７２０ｐ、１０８０ｉ、１０８０ｐのいずれかである。オートは映像表示装置１２、１４の解像度に応じて出力画像の解像度を変更するものである。リモコン１６あるいはユーザ操作入力部３６の解像度切換スイッチが押される毎に出力解像度がオート、４８０ｐ、７２０ｐ、１０８０ｉ、１０８０ｐ、オート、…と繰り返し選択される。なお、オートは本発明には直接関係しないので、以下の説明ではオートは省略する。また、選択可能な出力解像度として１０８０ｐ／２４（毎秒２４コマ）を含めても良い。
【００２１】
本実施形態では画質モード処理のオン／オフと出力解像度の選択に所定の制約を課している。制約を課す理由は、映像表示装置１２、１４も画質を改善するための処理（情報再生装置の画像処理部２４と同一な処理に限らず、同様な処理も含む）を行うことがあり、情報再生装置１０と映像表示装置１２、１４が共に画質モード処理を行うと、エッジが強調され過ぎたり、ノイズが目立ったり、かえって画質が劣化することがある。本実施形態では、映像表示装置１２、１４は入力された画像信号の解像度が所定の解像度（例えば、１０８０）未満、例えば４８０ｐ、７２０ｐであれば画質改善処理（画質モード処理のオンとアップコンバート）を実施するが、画像信号の解像度が１０８０以上であれば画質改善処理は実施しないことも前提としている。
【００２２】
そのため、図２（ａ）に示すように、情報再生装置１０の画質モード処理がオン（シャープ、カラー、コントラストが選択されている）の場合、映像表示装置の画質改善処理が機能しないようにするために、４８０ｐ及び７２０ｐの出力解像度は選択できないようにしている。すなわち、解像度切換スイッチが押される毎にオート、１０８０ｉ、１０８０ｐ、オート、…が繰り返し選択されるように出力解像度の選択制御が変更される。
【００２３】
また、図２（ｂ）に示すように、４８０ｐまたは７２０ｐの出力解像度が選択された場合、映像表示装置の画質改善処理が機能しても構わないように、画質モード処理はオンを選択できないようにオフに固定されるように情報再生装置１０の画質モード処理の選択制御が変更される。
【００２４】
図２（ａ）、（ｂ）のいずれでも、結果的には、４８０ｐあるいは７２０ｐの解像度が選択された場合、情報再生装置１０の画質モード処理がオフに固定される。これにより、情報再生装置１０と映像表示装置１２、１４が共に画質モード処理を行うことが防止される。  
図３は画質モード処理がオフの場合の出力解像度の選択手順を示す画面遷移の一例を示す。図３（ａ）に示すように画像処理部２４の設定メニューは出力解像度設定と画質モード設定の２つの選択肢（ボタン）を含む。画質モード設定が選択され、その選択結果が決定（この選択と決定を以下、単に選択と称する）されると、図３（ｂ）に示すように画質モード選択メニューが表示され、オフ、シャープ、カラー、コントラストの４つの選択肢が表示される。オフが選択されると、図３（ａ）の設定メニューに戻る。ここで、出力解像度設定が選択されると、図３（ｃ）に示すように出力解像度の選択メニューが表示され、４８０ｐ、７２０ｐ、１０８０ｉ、１０８０ｐの４つの選択肢（ボタン）が表示される。このように、画質モード処理がオフの場合、全ての出力解像度が選択できる。
【００２５】
一方、図４は画質モード処理がオンの場合の出力解像度の選択手順を示す画面遷移の一例を示す。図４（ａ）に示すように画像処理部２４の設定メニューは出力解像度設定と画質モード設定の２つの選択肢を含む。画質モード設定が選択されると、図４（ｂ）に示すように画質モード選択メニューが表示され、オフ、シャープ、カラー、コントラストの４つの選択肢が表示される。シャープ、カラー、コントラストのいずれかの画質モードが選択される（画質モード処理がオン）と、図４（ａ）の設定メニューに戻る。ここで、出力解像度設定が選択されると、図４（ｃ）に示すように出力解像度の選択メニューが表示される。ここでは、図３（ｃ）と異なり、１０８０ｉ、１０８０ｐの２つの選択肢のみが表示され、４８０ｐ、７２０ｐの選択肢は表示されない、あるいは薄く表示され、選択されないようになっている。このように、画質モード処理がオンの場合、映像表示装置１２、１４の画質改善処理が実施されない解像度（１０８０ｉ、１０８０ｐ）のみが選択できるようにインターフェースが変更される。これにより、情報再生装置１０と映像表示装置１２、１４が共に画質モード処理を行うことが防止される。
【００２６】
図５は１０８０ｉあるいは１０８０ｐの出力解像度が選択された時の画質モード処理の選択手順を示す画面遷移の一例を示す。図５（ａ）に示すように、画像処理部２４の設定メニューは出力解像度設定と画質モード設定の２つの選択肢を含む。出力解像度設定が選択されると、図５（ｂ）に示すように、出力解像度選択メニューが表示され、４８０ｐ、７２０ｐ、１０８０ｉ、１０８０ｐの４つの選択肢が表示される。１０８０ｉあるいは１０８０ｐの出力解像度が選択されると、図５（ａ）の設定メニューに戻る。ここで、画質モード設定が選択されると、図５（ｃ）に示すように、画質モード選択メニューが表示され、オフ、シャープ、カラー、コントラストの４つの選択肢（ボタン）が表示される。この場合、画質モード処理の選択に制約は無い。
【００２７】
一方、図６は４８０ｐあるいは７２０ｐの出力解像度が選択された時の画質モード処理の選択手順を示す画面遷移の一例を示す。図６（ａ）に示すように、画像処理部２４の設定メニューは出力解像度設定と画質モード設定の２つの選択肢を含む。出力解像度設定が選択されると、図６（ｂ）に示すように、出力解像度選択メニューが表示され、４８０ｐ、７２０ｐ、１０８０ｉ、１０８０ｐの４つの選択肢（ボタン）が表示される。４８０ｐあるいは７２０ｐの出力解像度が選択されると、図６（ａ）の設定メニューに戻る。ここで、画質モード設定が選択されると、図６（ｃ）に示すように、画質モード選択メニューが表示される。しかし、図５（ｃ）と異なり、オフ、シャープ、カラー、コントラストの４つの選択肢（ボタン）は「画質モードは選択できません（画質モードはオフです）」という画像に隠される。このため、映像表示装置１２、１４が画質改善処理を行う条件である情報再生装置１０の出力解像度が１０８０未満の場合、画質モードは選択できない（画質モード処理はオフに固定）。これにより、情報再生装置１０と映像表示装置１２、１４が共に画質モード処理を行うことが防止される。  
図７は画質モード設定後の出力解像度設定の可否を示す。画質モード処理がオフの場合、出力解像度は４８０ｐ、７２０ｐ、１０８０ｉ、１０８０ｐのどの解像度も選択可能である。画質モード処理がオンの場合、１０８０ｉあるいは１０８０ｐの出力解像度は選択可能であるが、４８０ｐあるいは７２０ｐの出力解像度は選択不可である。
【００２８】
図８は出力解像度設定後の画質モード設定の可否を示す。４８０ｐあるいは７２０ｐの出力解像度が選択された場合、画質モード処理をオンに設定することは不可能である（オフに固定される）。１０８０ｉあるいは１０８０ｐの出力解像度が選択された場合、画質モード処理をオンに設定することは可能（勿論、オフに設定することも可能）である。
【００２９】
出力解像度はＤ端子の種類に応じているので、図９に画質モード設定後の出力解像度の設定の可否をＤ端子の設定の可否に関連付けて示す。画質モード処理がオフの場合、どのＤ端子も選択可能である。画質モード処理がオンの場合、Ｄ３端子（出力解像度は１０８０ｉまで対応可能であるが、ここでは出力解像度が１０８０ｉの場合、Ｄ３端子が選択されるとする。以下、同様）あるいはＤ５端子（１０８０ｐ）は選択可能であるが、Ｄ１端子（４８０ｉ）、Ｄ２端子（４８０ｐ）あるいはＤ４端子（７２０ｐ）は選択不可である。
【００３０】
図１０は出力解像度設定後の画質モード設定の可否をＤ端子の設定の可否に関連付けて示す。Ｄ１端子（４８０ｉ）、Ｄ２端子（４８０ｐ）あるいはＤ４端子（７２０ｐ）が選択された場合、画質モード処理をオンに設定することは不可能である。Ｄ３端子（１０８０ｉ）あるいはＤ５端子（１０８０ｐ）が選択された場合、画質モード処理をオンに設定することは可能である。
【００３１】
図１１は情報再生装置１０の再生から映像表示装置１２、１４の出力までの画像処理を概念的に示す図である。ＤＶＤ１８の再生画像の解像度は４８０ｉであり、映像表示装置１２、１４の出力解像度は１０８０ｐであるとする。情報再生装置１０の画質モード処理がオンの場合、出力解像度は１０８０ｉあるいは１０８０ｐしか選択できないので、映像表示装置１２、１４は画質改善処理を行わない。そのため、映像表示装置１２、１４においては、解像度変更処理（アップコンバート）では解像度を不変（スルー処理）とし、画質モード処理もオフされる。
【００３２】
情報再生装置１０の画質モード処理がオフの場合、４８０ｐあるいは７２０ｐの出力解像度が選択されると、映像表示装置１２、１４は画質改善処理を行なう。そのため、映像表示装置１２、１４においては、解像度変更処理により解像度が１０８０ｐにアップコンバートされ、画質モード処理もオンされる。
【００３３】
図１２も情報再生装置１０の再生から映像表示装置１２、１４の出力までの画像処理を概念的に示す図である。図１１は画像モードが先に選択された場合を示し、図１２は出力解像度が先に選択された場合を示す。情報再生装置１０の出力解像度として４８０ｐあるいは７２０ｐが選択された場合、画質モード処理はオフされる。情報再生装置１０の出力解像度が４８０ｐあるいは７２０ｐであるので、映像表示装置１２、１４は画質改善処理を行う。そのため、映像表示装置１２、１４においては、解像度変更処理により解像度が１０８０ｐにアップコンバートされ、画質モード処理もオンされる。情報再生装置１０の出力解像度として１０８０ｉあるいは１０８０ｐが選択された場合、画質モード処理はオンされる。情報再生装置１０の出力解像度が１０８０ｉあるいは１０８０ｐであるので、映像表示装置１２、１４は画質改善処理は行わない。そのため、映像表示装置１２、１４においては、解像度変更処理（アップコンバート）は解像度を不変（スルー処理）とし、画質モード処理もオフされる。
【００３４】
以上は情報再生装置１０単独で動作する場合の説明であった。すなわち、情報再生装置１０は映像表示装置１２、１４の画質改善処理の状況如何に係わらず画質モード、出力解像度を自由に選択できる。ただし、所定の選択の組み合わせは制約されており、選択できない項目を含むメニューになっている。
【００３５】
これに対して以下の説明では、情報再生装置１０は映像表示装置１２、１４の画質改善処理の設定状況を判定して、それに応じて選択動作を変える動作を説明する。この動作には、図１のプレーヤ優先画質モードコマンド出力処理部５６、ＴＶ優先画質モードコマンド受信処理部５８の実装が必要である。すなわち、プレーヤ優先の場合、プレーヤ優先画質モードコマンド出力処理部５６は情報再生装置１０で設定されている画質モードを示す画質モードコマンドを情報再生装置１０から情報表示装置１２へ出力する。テレビ優先の場合、ＴＶ優先画質モードコマンド受信処理部５８は情報表示装置１２から情報再生装置１０へ出力され、情報表示装置１２で設定されている画質モードを示す画質モードコマンドを受信する。これらのコマンドはＨＤＭＩケーブルのベンダコマンドラインを介して伝送される。
【００３６】
図１３は画質モードをプレーヤ（情報再生装置１０）優先で設定する場合の画質モード選択画面・出力解像度選択画面の一例を示す。プレーヤ優先では、プレーヤは自由に画質モードを設定できるが、プレーヤの設定情報がテレビ（映像表示装置１２、１４）に送信され、テレビはその設定情報に基づいて自身の画質モードの設定を制約する。
【００３７】
図１３（ａ）に示すように、画像処理部２４の設定メニューは出力解像度設定と画質モード設定の２つの選択肢を含む。例えば、画質モード設定が選択されると、図１３（ｂ）に示すように、画質モード選択メニューが表示され、プレーヤ単独設定、プレーヤ優先設定、テレビ優先設定の３つの選択肢が表示される。ここで、プレーヤ優先設定が選択されると、図１３（ｃ）に示すように画質モード選択メニューが表示される。プレーヤ優先設定なので、選択肢としてはオフ、シャープ、カラー、コントラストの４つが全て表示され、画質モードの選択に制限は無い。いずれかの画質モードが選択されると、図１３（ａ）の設定メニューに戻る。ここで、出力解像度設定が選択されると、図１３（ｄ）に示すように、出力解像度の選択メニューが表示され、４８０ｐ、７２０ｐ、１０８０ｉ、１０８０ｐの４つの選択肢が表示される。なお、設定メニューにおいて画質モード設定と出力解像度設定の選択の順番は上記と逆でもよい。
【００３８】
図１４はプレーヤで画質モード処理がオンに設定された場合のプレーヤからテレビの出力までの画像処理の流れを概念的に示す図である。プレーヤの画質モード処理の設定情報がＨＤＭＩケーブルのベンダコマンドとしてテレビに送信され、テレビの画質モード処理のオン／オフ設定が制御される。すなわち、プレーヤの画質モード処理がオンに設定されるとテレビの画質モード処理がオフとされ、プレーヤの画質モードがオフに設定されるとテレビの画質モード処理のオンが許可される。プレーヤで４８０ｐあるいは７２０ｐの出力解像度が選択された場合、テレビでは解像度変更処理により解像度が１０８０ｐにアップコンバートされ、画質モード処理はオフされる。プレーヤで１０８０ｉあるいは１０８０ｐの出力解像度が選択された場合、テレビにおいては、解像度変更処理（アップコンバート）では解像度を不変（スルー処理）とし、画質モード処理はオフされる。
【００３９】
図１５はプレーヤで画質モード処理がオフに設定された場合のプレーヤからテレビの出力までの画像処理の流れを概念的に示す図である。図１５は図１４とは画質モード処理のオン・オフが異なるだけで、アップコンバート処理は同じである。
【００４０】
図１６、図１７もプレーヤからテレビの出力までの画像処理の流れを概念的に示す図である。図１４、図１５は画像モードが先に選択された場合を示し、図１６、図１７は出力解像度が先に選択された場合を示す点が違うだけで、他は同じである。
【００４１】
図１８は画質モードをテレビ優先で設定する場合の画質モード選択画面・出力解像度選択画面の一例を示す。テレビ優先では、テレビは自由に画質モードを設定でき、テレビの設定情報がプレーヤに送信され、プレーヤはその設定情報に基づいて自身の画質モード処理の設定を制限する。
【００４２】
図１８（ａ）に示すように、画像処理部２４の設定メニューは出力解像度設定と画質モード設定の２つの選択肢を含む。画質モード設定が選択されると、図１８（ｂ）に示すように、画質モード選択メニューが表示され、プレーヤ単独設定、プレーヤ優先設定、テレビ優先設定の３つの選択肢が表示される。ここで、テレビ優先設定が選択されると、テレビの画質モード処理のオン／オフ設定に応じて異なるメニューが表示される。
【００４３】
テレビの画質モード処理がオフであれば、図１８（ｃ）に示すようにオフ、シャープ、カラー、コントラストの４つの選択肢を含む画質モード選択メニューが表示される。この場合、テレビの画質モード処理がオフなので、プレーヤでは自由に画質モードを設定することができる。いずれかの画質モードが選択されると、図１８（ａ）の設定メニューに戻る。テレビの画質モード処理がオンであれば、図１８（ｄ）に示すようにオフ、シャープ、カラー、コントラストの４つの選択肢が「画質モードは選択できません（画質モードはオフです）」という画像に隠される画質モード選択メニューが表示される。この後、決定操作が行われると、図１８（ａ）の設定メニューに戻る。
【００４４】
設定メニューで出力解像度設定が選択されると、図１８（ｅ）に示すように、出力解像度の選択メニューが表示され、４８０ｐ、７２０ｐ、１０８０ｉ、１０８０ｐの４つの選択肢が表示される。なお、設定メニューにおいて画質モード設定と出力解像度設定の選択の順番は上記と逆でもよい。
【００４５】
図１９はテレビで画質モードがオンに設定された場合のプレーヤからテレビの出力までの画像処理の流れを概念的に示す図である。テレビの画質モード処理の設定情報がＨＤＭＩケーブルのベンダコマンドとしてプレーヤに送信され、プレーヤの画質モード処理のオン／オフ設定が制御される。すなわち、テレビの画質モード処理がオンに設定されるとプレーヤの画質モード処理がオフとされ、テレビの画質モード処理がオフに設定されるとプレーヤの画質モード処理のオンが許可される。プレーヤで４８０ｐあるいは７２０ｐの出力解像度が選択された場合、テレビでは解像度変更処理により解像度が１０８０ｐにアップコンバートされ、画質モード処理はオンされる。プレーヤで１０８０ｉあるいは１０８０ｐの出力解像度が選択された場合、テレビにおいては、解像度変更処理（アップコンバート）では解像度を不変（スルー処理）とし、画質モード処理はオンされる。
【００４６】
図２０はテレビで画質モードがオフに設定された場合のプレーヤからテレビの出力までの画像処理の流れを概念的に示す図である。テレビの画質モード処理がオフに設定されるとプレーヤの画質モード処理のオンが許可される。プレーヤで４８０ｐあるいは７２０ｐの出力解像度が選択された場合、テレビでは解像度変更処理により解像度が１０８０ｐにアップコンバートされ、画質モード処理はオンされる。プレーヤで１０８０ｉあるいは１０８０ｐの出力解像度が選択された場合、テレビにおいては、解像度変更処理（アップコンバート）では解像度を不変（スルー処理）とし、画質モード処理はオンされる。
【００４７】
図２１、図２２もプレーヤからテレビの出力までの画像処理の流れを概念的に示す図である。図１９、図２０は画像モードが先に選択された場合を示し、図２１、図２２は出力解像度が先に選択された場合を示す点が違うだけで、他は同じである。
【００４８】
図２３は上述した図３から図１２に示すプレーヤ単独動作の際のメニューを表示する情報再生装置１０の制御部４０の動作を示すフローチャートである。
【００４９】
ブロックＢ１２で設定メニュー（例えば、図３（ａ）に示すメニュー）を表示する。
【００５０】
ブロックＢ１４で設定メニューにおいて画質モード設定が選択されたか否かを判定する。画質モード設定が選択された場合、ブロックＢ１６で画質モード選択メニュー（例えば、図３（ｂ）に示すメニュー）を表示する。
【００５１】
ブロックＢ１８で画質モードのオフが選択されたか否かを判定する。画質モードのオフが選択された場合、ブロックＢ２０で選択肢の制約が無い出力解像度選択メニュー（例えば、図３（ｃ）に示すメニュー）を表示する。画質モードのオン（シャープ、カラー、コントラストのいずれか）が選択された場合、ブロックＢ２２で選択肢に一部制約が課せられた出力解像度選択メニュー（例えば、図４（ｃ）に示すメニュー）を表示する。上述の例では、ブロックＢ２０では４つの解像度全部を含む選択メニューが表示され、ブロックＢ２２では１０８０ｉと１０８０ｐは選択できるが４８０Ｐと７２０Ｐは選択が出来ない選択メニューが表示される。
【００５２】
ブロックＢ１４で設定メニューにおいて出力解像度設定が選択された場合、ブロックＢ２４で出力解像度選択メニュー（例えば、図５（ｂ）に示すメニュー）を表示する。
【００５３】
ブロックＢ２６で１０８０ｉまたは１０８０ｐの出力解像度が選択されたか否かを判定する。１０８０ｉまたは１０８０ｐの出力解像度が選択された場合、ブロックＢ２８で選択肢の制限が無い画質モード選択メニュー（例えば、図５（ｃ）に示すメニュー）を表示する。１０８０ｉまたは１０８０ｐ以外の出力解像度が選択された場合、ブロックＢ３０で選択肢の少なくともに一部制約が課せられた画質モード選択メニュー（例えば、図６（ｃ）に示すメニュー）を表示する。上述の例では、ブロックＢ２８では４つの画質モード全部を含む選択メニューが表示され、ブロックＢ３０では画質モードは選択できない（オフ）ことを示す選択メニューが表示される。
【００５４】
図２４は上述した図１３から図２２に示すプレーヤ優先あるいはテレビ優先動作の際のメニューを表示する情報再生装置１０の制御部４０の動作を示すフローチャートである。
【００５５】
ブロックＢ５２で外部機器（例えば、映像表示装置１２）との画質モード連携動作を開始する。具体的には、外部機器をＨＤＭＩケーブルを介して情報再生装置１０に接続する。ブロックＢ５４でＨＤＭＩの認証が成立したか否かを判定する。認証が成立しない場合、動作は終了する。
【００５６】
認証が成立した場合、ブロックＢ５６で設定メニューを表示し、画質モード設定が選択されると、プレーヤ単独設定、プレーヤ優先設定、テレビ優先設定の選択肢を含む画質モード選択メニュー１（例えば、図１３（ｂ）あるいは図１８（ｂ）に示すメニュー）を表示する。ブロックＢ５８でプレーヤ優先設定が選択されたか否か判定する。テレビ優先設定が選択された場合、ブロックＢ６６でテレビから送信されテレビ優先画質モードコマンド受信処理部５８で受信したテレビの画質モードコマンドがオフか否か判定する。テレビの画質モードコマンドがオンの場合、ブロックＢ６８でプレーヤの画質モードは選択できない（オフ）ことを示す選択メニュー（図１８（ｄ）に示すメニュー）を表示する。この後、プレーヤの画質モードのオフが確定すると、設定メニュー表示に戻り、必要に応じて出力解像度が選択される。
【００５７】
ブロックＢ６６でテレビの画質モードコマンドがオフの場合、ブロックＢ６０でプレーヤの画質モードの選択の制約が無い画質モード選択メニュー２（図１８（ｃ）に示すメニュー）を表示する。
【００５８】
ブロックＢ５８でプレーヤ優先設定が選択された場合も、ブロックＢ６０でプレーヤの画質モードの選択の制約が無い画質モード選択メニュー２（図１３（ｃ）に示すメニュー）を表示する。
【００５９】
ブロックＢ６２でオフ、シャープ、カラー、コントラストのいずれかのプレーヤの画質モードが選択されると、ブロックＢ６４で、プレーヤ優先画質モードコマンド出力処理部５６からプレーヤの画質モードコマンドがテレビに出力する。この後、プレーヤの画質モードのオフが確定すると、設定メニュー表示に戻り、必要に応じて出力解像度が選択される。
【００６０】
以上説明したように、本実施形態によれば、画質モード変換機能を有する情報再生装置において、予め設定されている画質モードの場合は所定の解像度以下の解像度の設定を不可とすることにより、外部機器と自再生装置とで画質モード変換機能を二重に働かせることが防止され、画質の劣化が防止される。更に、ユーザは設定の際に画質の劣化の恐れを考慮する必要が無く、常に最適な画質の画像を再生することができる。
【００６１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００６２】
図１３から図２２に関するプレーヤとテレビの画質モードの連携動作は画質モードのオン・オフの場合しか説明しなかったが、これに限らず、画質モードの設定値が可変の場合は、設定値の大小関係を連携しても良い。画質モードの設定値とは、画質の改善の程度をユーザが設定する値である。例えば、シャープモードでは輪郭の強調度合いの設定値を＋７〜−７まで可変できるようにしてもよい。設定値は図３（ｂ）のような画質モード選択メニューでいずれかのモードを選択した後、直ぐに図３（ａ）の設定メニューに戻らず、設定値の選択メニュー画面を表示して、ユーザが入力・選択することにより決定される。設定値に制限を付ければ、プレーヤとテレビの両方で画質モードをオンにしてもよい。例えば、テレビの画質モードの設定値が大きいときは、プレーヤの画質モードの設定値を小さくしてオンにしてもよい。プレーヤ、テレビのいずれか一方の画質モードの設定値が最大値の場合は、上述した説明の画質モードがオンの場合と等価と考えられる。また、テレビが具備する画質モードがプレーヤが具備する画質モードと全く同一ではない場合は、類似する画質モード間で連携動作をさせればよい。例えば、テレビの画質モードとしてシネマモードやスポーツモードがある場合、テレビでの画質改善効果が大きい時、プレーヤの画質改善効果は小さくなるように連携させる。例えば、テレビでスポーツモードが選択された場合、プレーヤの画質モードをオフあるいは設定値を小さくしたり、テレビでシネマモードが選択された場合、プレーヤの画質モードをオンあるいは設定値を大きくする。
【００６３】
また、図１３から図２２に関するプレーヤとテレビの画質モードの連携動作のためのそれぞれの画質モードの設定状況を示す画質モードコマンドはＨＤＭＩ規格に限らず、ＨＤＭＩ−ＣＥＣ規格あるいはデジタル・ビジュアル・インターフェース（ＤＶＩ）規格のケーブルを利用してプレーヤとテレビ間で通信しても良い。デジタル・ビジュアル・インターフェース  ＣＥＡ−８６１Ｅの場合は、InfoPacketやInfoFrameの情報を用いて画質モードコマンドを通信することができる。  さらに、本発明は、コンピュータに所定の手段を実行させるため、コンピュータを所定の手段として機能させるため、コンピュータに所定の機能を実現させるため、あるいはプログラムを記録したコンピュータ読取り可能な記録媒体としても実施することもできる。
【符号の説明】
【００６４】
１０…情報再生装置、１２，１４…映像表示装置、１６…リモコン、２４…画像処理部、３２…Ｄ端子、３４…ＨＤＭＩ端子、３６…ユーザ操作入力部、４０…制御部、４２…設定メニュー表示部、４４…画質モード選択画面生成部、４６…画質モード優先出力解像度選択画面生成部、４８…出力解像度選択画面生成部、５０…出力解像度優先画質モード選択画面生成部、５２…選択出力解像度設定部、５４…選択画質モード設定部、５６…プレーヤ優先画質モードコマンド出力処理部、５８…ＴＶ優先画質モードコマンド受信処理部。
【図１】
2010213351.tif 000003
【図２】
2010213351.tif 000004
【図３】
2010213351.tif 000005
【図４】
2010213351.tif 000006
【図５】
2010213351.tif 000007
【図６】
2010213351.tif 000008
【図７】
2010213351.tif 000009
【図８】
2010213351.tif 000010
【図９】
2010213351.tif 000011
【図１０】
2010213351.tif 000012
【図１１】
2010213351.tif 000013
【図１２】
2010213351.tif 000014
【図１３】
2010213351.tif 000015
【図１４】
2010213351.tif 000016
【図１５】
2010213351.tif 000017
【図１６】
2010213351.tif 000018
【図１７】
2010213351.tif 000019
【図１８】
2010213351.tif 000020
【図１９】
2010213351.tif 000021
【図２０】
2010213351.tif 000022
【図２１】
2010213351.tif 000023
【図２２】
2010213351.tif 000024
【図２３】
2010213351.tif 000025
【図２４】
2010213351.tif 000026